(57)【要約】      （修正有）【課題】蒸気を熱源としている蒸気利用機器から排出されたドレンをボイラに環流させるドレン回収装置であって、フラッシュ蒸気の発生が抑えられ、ドレンを効率よく回収できるようにする。【解決手段】ドレンタンクに貯留されたドレンをボイラに環流させる蒸気循環系において、一対のドレン流出管７ａ，７ｂを該ドレンタンクの底部から下方に配設し、該各ドレン流出管の途中にチャッキ弁８ａ，８ｂを設けると共に、該ドレンタンクよりも低所に一対のシリンダ９ａ，９ｂと左右に往復動するピストン１１ａ，１１ｂを設け、該両シリンダにドレン回収管１５ａ，１５ｂを下方に延設し、該両ドレン回収管を水圧により左右に動く３方切替弁１２の両端部に接続し、前記ピストンが作動することにより両ドレン流出管のドレンがドレンン回収管に交互に圧送されるようにした。【選択図】図１
2007278575.tif 000002
【特許請求の範囲】
【請求項１】
ボイラで発生させた蒸気を蒸気利用機器に供給し、該蒸気利用機器の蒸気排出管にスチームトラップを介して密閉形のドレンタンクを接続し、該ドレンタンクに貯留されたドレンを前記ボイラに環流させる蒸気循環系において、ドレンタンク内のドレンが自重で流出し得るように太径の一対のドレン流出管を該ドレンタンクの底部から下方に配設し、該各ドレン流出管の途中にドレンの自重によって開口するチャッキ弁を設けると共に、該ドレンタンクよりも低所に一対のシリンダを略水平に設け、該シリンダにアクチュエータにより左右に往復動するピストンを設け、該両シリンダに前記ドレン流出管の下方端部を夫々接続し、さらに両ドレン流出管の下方部より夫々ドレン回収管を下方に延設し、該両ドレン回収管の下方端部を３方切替弁の両端部に接続し、該３方切替弁には両ドレン回収管の水圧により左右に動くことで低圧側のドレン回収管を塞ぎ高圧側のドレン回収管をボイラのドレン回収口に連通させる弁体を設け、前記ピストンが作動することにより両ドレン流出管のドレンが両シリンダに交互に吸引され両ドレン回収管に交互に圧送されるようにしたことを特徴とするドレン回収装置。
【発明の詳細な説明】
【技術分野】
【０００１】
本発明は、蒸気を熱源として使用している衣類クリーニング工場、繊維工場、製紙工場等において、その蒸気利用機器から排出されたドレンをボイラに環流させるドレン回収装置に関するものである。
【背景技術】
【０００２】
例えば衣類クリーニング工場では、連洗機と称される連続洗濯機、及びバッチ式洗濯機、或いは衣類乾燥機等の蒸気利用機器が設けられ、ボイラによって発生させた蒸気をこれらの蒸気利用機器に供給することにより蒸気を熱源として使用している。そして、該蒸気利用機器の蒸気排出管にスチームトラップを介して密閉形のドレンタンクを接続し、該ドレンタンクに貯留されたドレンをポンプにより前記ボイラに環流させるようにしている。また、該ドレンタンクにてドレンの一部が再蒸発して発生したフラッシュ蒸気は他の蒸気利用機器に再利用している。
【０００３】
下記特許文献１に示されたクリーニング工場の蒸気利用装置は、上記ドレンから発生したフラッシュ蒸気を温水器等の蒸気利用機器に供給することで熱回収しようとするものである。
【特許文献１】特開２００４−８１７１８号公報
【発明の開示】
【発明が解決しようとする課題】
【０００４】
ところで、上記のように、ボイラで発生させた蒸気を蒸気利用機器に供給すると共に、該蒸気利用機器の蒸気排出管にスチームトラップを介して密閉形のドレンタンクを接続し、該ドレンタンクに貯留されたドレンをポンプにより前記ボイラに環流させ、該ドレンタンクにてドレンの一部が再蒸発して発生したフラッシュ蒸気を再利用する蒸気循環系においては、従来からドレンタンク中のドレンをシリンダ式のポンプにより吸引し排出させていたが、ドレン吸引時にシリンダ内が負圧になりフラッシュ蒸気が発生し容積が増えるため、ドレンタンク中のドレンをボイラに回収し得る効率が著しく悪くなるという問題があった。
【課題を解決するための手段】
【０００５】
本発明は上記課題を解決し得るドレン回収装置を提供するもので、ボイラで発生させた蒸気を蒸気利用機器に供給し、該蒸気利用機器の蒸気排出管にスチームトラップを介して密閉形のドレンタンクを接続し、該ドレンタンクに貯留されたドレンを前記ボイラに環流させる蒸気循環系において、ドレンタンク内のドレンが自重で流出し得るように太径の一対のドレン流出管を該ドレンタンクの底部から下方に配設し、該各ドレン流出管の途中にドレンの自重によって開口するチャッキ弁を設けると共に、該ドレンタンクよりも低所に一対のシリンダを略水平に設け、該シリンダにアクチュエータにより左右に往復動するピストンを設け、該両シリンダに前記ドレン流出管の下方端部を夫々接続し、さらに両ドレン流出管の下方部より夫々ドレン回収管を下方に延設し、該両ドレン回収管の下方端部を３方切替弁の両端部に接続し、該３方切替弁には両ドレン回収管の水圧により左右に動くことで低圧側のドレン回収管を塞ぎ高圧側のドレン回収管をボイラのドレン回収口に連通させる弁体を設け、前記ピストンが作動することにより両ドレン流出管のドレンが両シリンダに交互に吸引され両ドレン回収管に交互に圧送されるようにしたことを特徴とする。
【発明の効果】
【０００６】
蒸気を熱源としている蒸気利用機器から排出されたドレンをボイラに環流させるドレン回収装置であって、フラッシュ蒸気の発生が抑えられ、ドレンが効率よく回収されるようになる。
【発明を実施するための最良の形態】
【０００７】
以下、本発明の実施形態を図面に従い説明する。図１は本発明に係る蒸気循環系の配管図である。図中、１は圧力０．９ＭＰａ、温度１８０℃程度の飽和蒸気を発生させるボイラ、２は該ボイラで発生した蒸気が配管３を通して供給され該蒸気を熱源として使用する衣類乾燥機等の蒸気利用機器である。また、４は該蒸気利用機器の蒸気排出管にスチームトラップ５を介して接続された密閉形のドレンタンクで、該蒸気利用機器を通過することにより潜熱を失った飽和温度のドレンが該スチームトラップ５を経て該ドレンタンク４に貯留される。そして該ドレンタンク４内では貯留されたドレンの一部が再蒸発することにより概ね０．２ＭＰａ程度の圧力でフラッシュ蒸気が発生することから、該フラッシュ蒸気を圧力調整弁６を経て洗濯機等の他の蒸気利用機器（図示せず）に送給し再利用するようにしている。なお、ドレンタンク４には該ドレンタンク４中のドレン液面を検出し、ドレン排出のために後述するアクチュエータ１０を作動させる液面制御装置４ａが設けられている。
【０００８】
７ａ，７ｂはドレンタンク４内のドレンが自重で流出し得るように該ドレンタンクの底部から下方に配設した一対の太径のドレン流出管、８ａ，８ｂは該各ドレン流出管の途中にドレンの自重によって開口するよう設けられたチャッキ弁である。また、９ａ，９ｂは該ドレンタンクよりも低所にて略水平に設けられた一対のシリンダ、１０は該両シリンダ間に設けられたエアーシリンダ等のアクチュエータで、該アクチュエータの両端部から突出するロッド１０ａ，１０ｂにピストン１１ａ，１１ｂが設けられ、該ピストン１１ａ，１１ｂはアクチュエータ１０が作動することによりシリンダ９ａ，９ｂ内で左右に往復動するよう構成されている。そして、該シリンダ９ａ，９ｂに前記ドレン流出管７ａ，７ｂの下方端部を夫々接続している。
【０００９】
また、１２は前記ボイラ１のドレン回収口１３と連通するように設けられた３方切替弁、１４は該３方切替弁１２内に設けられた板状の弁体である。前記ドレン流出管７ａ，７ｂの下方部からは夫々ドレン回収管１５ａ，１５ｂが下方に延設され、該各ドレン回収管の下方端部を３方切替弁１２の両端部に接続している。このため、弁体１４は両ドレン回収管１５ａ，１５ｂの水圧により左右に動き、低圧側のドレン回収管を塞ぎ高圧側のドレン回収管をボイラ１のドレン回収口１３に連通させる。
【００１０】
このように構成したドレン回収装置では、ドレンタンク４内に貯留するドレンが自重によってドレン流出管７ａ，７ｂに流出し、チャッキ弁８ａ，８ｂを経てシリンダ９ａ，９ｂ中に流れ込む。そして該ドレンタンク４内に一定の液面以上にドレンが溜まると、アクチュエータ１０によって図２に示したようにピストン１１ａ，１１ｂをシリンダ９ａ，９ｂ内にて夫々右方に移動させる。このため、シリンダ９ａ内の圧力が上昇し、一方のドレン流出管７ａに溜まっていたドレンがドレン回収管１５ａに押し出され該ドレン回収管１５ａの水圧も上昇することから弁体１４を左方に移動させて該ドレン回収管７ａをドレン回収口１３に連通させ、該ドレンがボイラ１に押送される。このとき前記チャッキ弁８ａは閉塞することで該ドレン回収管１５ａ中のドレンの逆流が防がれる。また、そのときシリンダ９ｂにはドレンタンク４内に貯留していたドレンがドレン流出管７ｂを通り自重によってさらに流入して来ると共に、弁体１４が左方に移動することで該弁体１４の左側にあったドレンがドレン回収管１５ｂに押し戻されることから、シリンダ９ｂ内が負圧になるおそれは殆どない。
【００１１】
次いで、アクチュエータ１０によってピストン１１ｂが図１に示したように移動すると、該シリンダ９ｂ内の圧力が上昇し、ドレン流出管７ｂに溜まったドレンがドレン回収管１５ｂに押し出され該ドレン回収管の水圧を上昇させることから弁体１４を右方に移動させ該ドレン回収管７ｂをドレン回収口１３に連通させ、該ドレンをボイラ１に押送させる。このとき前記チャッキ弁８ｂは閉塞することで該ドレン回収管１５ｂ中のドレンの逆流が防がれる。このときシリンダ９ａ内が負圧になるおそれは殆どなく、ドレン流出管７ａにドレンタンク４内から自重によりドレンを流出させることができる。
【００１２】
このように本発明では、ドレンタンク４内から自重により流出しドレン流出管７ａ，７ｂ中に溜まったドレンを、アクチュエータ１０によりピストン１１ａ，１１ｂを交互に往復動させることにより、ボイラ１に回収するものであるので、シリンダ９ａ，９ｂやドレン流出管７ａ，７ｂでフラッシュ蒸気を発生させることなく、効率よくドレン回収を行うことができる。
【００１３】
なおこの実施形態ではアクチュエータ１０としてエアーシリンダを使用したが、油圧シリンダ或いは電動機等の他の原動機を使用してもよい。また、強力な永久磁石によりピストン１１ａ，１１ｂが誘導されるようにすることでエアーシリンダとピストンとを結ぶピストンロッドが省略されるように構成したアクチュエータを使用してもよい。また、上記ドレン流出管７ａ，７ｂについては、ドレンからのフラッシュ蒸気の発生を出来るだけ少なくするために、ドレンの流速を遅くすべく、内径５０ｍｍ以上の太径のものを用いることが望ましい。
【図面の簡単な説明】
【００１４】
【図１】本発明に係るドレン回収装置の配管図である。
【図２】図１のドレン回収装置の作動状態図である。
【符号の説明】
【００１５】
１                ボイラ
２                蒸気利用機器
４                ドレンタンク
５                スチームトラップ
６                圧力調整弁
７ａ，７ｂ        ドレン流出管
８ａ，８ｂ        チャッキ弁
９ａ，９ｂ        シリンダ
１０              アクチュエータ
１１ａ，１１ｂ    ピストン
１２              ３方切替弁
１３              ドレン回収口
１４              弁体
１５ａ，１５ｂ    ドレン回収管
【図１】
2007278575.tif 000003
【図２】
2007278575.tif 000004